(57)【要約】【課題】  記録紙の紙送り方向として長辺および短辺が設定可能な給紙トレイを具備する印刷装置において、印刷ジョブを分離するジョブオフセット機構を持たない排紙トレイに対し、印刷ジョブを分離するための印刷制御方法を提供する。【解決手段】  印刷制御装置に、直前の印刷ジョブで指定された排紙トレイと紙送り方向（長辺、または短辺）を記憶しておく紙送り方向記憶手段と、印刷ジョブでジョブオフセットが指定された場合、前記紙送り方向記憶手段により取得した逆の紙送り方向で印刷ジョブを展開する印刷ジョブ展開手段と、給紙トレイ毎の設定状態を取得し、前記印刷ジョブ展開手段で設定された紙送り方向の給紙トレイに使用する給紙トレイを設定変更する紙送り方向変更手段とを有する。【選択図】図１
2006051660.tif 000002
【特許請求の範囲】
【請求項１】
印刷ジョブを生成し送信するホストコンピュータと、記録紙の紙送り方向として長辺および短辺が設定可能な給紙トレイを具備する印刷装置における印刷制御方法であって、前記印刷装置上の印刷制御装置に、直前の印刷ジョブで指定された排紙トレイと紙送り方向を記憶しておく紙送り方向記憶手段と、印刷ジョブでジョブオフセットが指定された場合、前記紙送り方向記憶手段により取得した逆の紙送り方向で印刷ジョブを展開する印刷ジョブ展開手段と、給紙トレイ毎の設定状態を取得し、前記印刷ジョブ展開手段で設定された紙送り方向の給紙トレイに使用する給紙トレイを設定変更する紙送り方向変更手段とを有し、前記印刷ジョブ展開手段および紙送り方向変更手段により、紙送り方向を切り替えて印刷ジョブを分離することを特徴とする印刷制御方法。
【請求項２】
印刷ジョブでジョブオフセット、複数部数および丁合が指定された場合、紙送り方向を切り替えて印刷ジョブの部数間を分離することを特徴とする請求項１記載の印刷制御方法。
【発明の詳細な説明】
【技術分野】
【０００１】
本発明は、記録紙の紙送り方向として長辺および短辺が設定可能な給紙トレイを具備する印刷装置において、印刷ジョブを分離するための印刷制御方法に関するものである。
【背景技術】
【０００２】
印刷ジョブを分離する方法（単なるジョブ区切りのための挿入紙ではなく、ジョブの仕分けを容易にするための方法を意味する）として、印刷装置の排出装置にジョブオフセット機構を設けてそれによりオフセットスタックさせる方法が知られている。従来のカット紙タイプの印刷装置は、印刷ジョブを分離するためにジョブオフセット機構を備えているものがある。
【０００３】
本機構の方法としては、印刷ジョブの最初のページのみをシフトする方法や、ジョブ全体をシフトして排紙する方法があり、印刷装置により異なっている。排紙イメージは図７のようになり、紙送り方向（排紙方向）に対し垂直方向に所定のシフト量（印刷装置により異なる）でシフトさせるものである。
【０００４】
また、複数の排出装置を備えた印刷装置であれば、複数ジョブを各排出装置に対応付けて排紙させることは可能であるが（特許文献１）、排出装置も有限であるため、やはり１つの排出装置に対し何らかの印刷ジョブを分離するための手段が望まれる。
【０００５】
ここで、従来のジョブオフセット機構を使用して印刷ジョブを分離する流れについて、図５の印刷装置のブロック図および図６の印刷ジョブ解析展開部を用いて説明する。
【０００６】
ホストコンピュータ１０にはまずコンピュータを動作させるための基本ソフトウェアであるオペレーティングシステム１１があり、その上にドキュメントを作成し印刷するためのアプリケーションソフトウェア１２がある。また、アプリケーションソフトウェア１２の印刷指示により印刷ジョブ生成ソフトウェア１４に印刷指示を与える印刷インターフェイス１３があり、その指示を受けて印刷ジョブを生成する印刷ジョブ生成ソフトウェア１４がある。さらに、印刷ジョブ生成ソフトウェア１４は、アプリケーションソフトウェア１２上で印刷形式を設定するためにユーザーとのインターフェイスを取り持つユーザーインターフェイス部１５および印刷ジョブを生成する印刷ジョブ生成処理部１６がある。
【０００７】
ユーザーがアプリケーションソフトウェア１２上で作成したドキュメントをユーザーインターフェイス部１５でジョブオフセット機能（印刷ジョブを分離する機能）を有効として印刷した場合、アプリケーションソフトウェア１２の印刷指示により印刷インターフェイス１３は印刷ジョブ生成ソフトウェア１４に対し印刷指示を与え、それに基づいて印刷ジョブ生成ソフトウェア１４における印刷ジョブ生成処理部１６でジョブオフセット機能指定を含む印刷コマンドを生成し、印刷ジョブスプーラ１７に対し送信する。
【０００８】
受信した印刷ジョブスプーラ１７は双方向インターフェイス２０を介してその印刷ジョブを印刷制御装置３１へ送信する。そして、印刷制御装置３１ではデータ受信部３２でその印刷ジョブを受信し、印刷ジョブ解析展開部３３でコマンド解析する。
【０００９】
印刷ジョブ解析展開部３３では、まず取得したコマンド列がジョブ制御コマンド列（部数、排紙トレイ等）かどうかチェックし、ジョブ制御条件を設定する。次に、描画コマンド列かどうかチェックし、そうでない場合はページ制御コマンド列（用紙サイズ、給紙トレイ等）と認識し、ページ制御条件を設定する。もし、描画コマンド列の場合はページ制御条件に基づき、画像データ列に展開し、フレームメモリ３７へ格納する。１ページ終了後（ただし、両面印刷指定時は２ページ単位となる）は、印刷開始コマンドをエンジン制御部３４へ通知し、全ページ終了するまで同じ処理を行う。
【００１０】
印刷ジョブ解析展開部３３より印刷開始コマンドを受信したエンジン制御部３４は、得られたジョブ／ページ制御条件に対応する制御コマンド列（ジョブオフセットコマンド含む）に変換し、フレームメモリ３７上の画像データをビデオデータとして、エンジン機構部３８へ制御コマンド列とともに送信する。そして、エンジン機構部３８で記録紙に印刷され、排出装置３９より印刷ジョブがオフセットスタックされる。また、エンジン制御部３４ではエンジン機構部３８の給排紙トレイ等の設定状態を管理している。なお、操作パネル３５は印刷装置３０の状態を表示したり、印刷装置３０の印刷設定を行うためものであり、その設定された印刷設定値は不揮発性の記憶装置３６に格納される。
【００１１】
また、従来の印刷装置の給紙トレイにおいて、同一の記録紙サイズを長辺給紙、または短辺給紙で設定可能なものがある。給紙方向に対し垂直方向を長い辺でセットする場合を長辺給紙（紙送り方向：「長辺」）、短い辺の場合を短辺給紙（紙送り方向：「短辺」）といい、図８ではそれぞれ紙送り方向１、紙送り方向２がそれに当たる。長辺給紙または短辺給紙で設定可能な記録紙サイズとしては限られるが、一般的に使用される定型サイズ（A4等）は設定可能である（ただし、印刷装置により異なる）。
【００１２】
【特許文献１】特開２０００−２３３５４８号公報
【発明の開示】
【発明が解決しようとする課題】
【００１３】
しかし、印刷装置で具備する排出装置において、すべての排紙トレイに必ずしもジョブオフセット機構は付加されておらず、その場合には印刷ジョブを分離することができない。
【００１４】
本発明は、記録紙の紙送り方向として長辺および短辺が設定可能な給紙トレイを具備する印刷装置において、印刷ジョブを分離するジョブオフセット機構を持たない排紙トレイに対し、印刷ジョブを分離するための印刷制御方法を提供することにある。
【課題を解決するための手段】
【００１５】
本発明は、印刷ジョブを生成し送信するホストコンピュータと、記録紙の紙送り方向として長辺および短辺が設定可能な給紙トレイを具備する印刷装置における印刷制御方法であって、前記印刷装置上の印刷制御装置に、直前の印刷ジョブで指定された排紙トレイと紙送り方向を記憶しておく紙送り方向記憶手段と、印刷ジョブでジョブオフセットが指定された場合、前記紙送り方向記憶手段により取得した逆の紙送り方向で印刷ジョブを展開する印刷ジョブ展開手段と、給紙トレイ毎の設定状態を取得し、前記印刷ジョブ展開手段で設定された紙送り方向の給紙トレイに使用する給紙トレイを設定変更する紙送り方向変更手段とを有し、前記印刷ジョブ展開手段および紙送り方向変更手段により、紙送り方向を切り替えて印刷ジョブを分離することを特徴とする。
【発明の効果】
【００１６】
発明によれば、排紙先の直前の印刷ジョブと異なる紙送り方向で印刷できるので、ジョブオフセット機構を使用しなくても、明確に印刷ジョブを分離することができる。
【発明を実施するための最良の形態】
【００１７】
記録紙の紙送り方向として長辺および短辺が設定可能な給紙トレイを具備する印刷装置において、その記録紙サイズの印刷ジョブを印刷する場合に、印刷ジョブを混在させずに排紙させるという目的を、印刷ジョブの紙送り方向を切り替えることで実現した。
【実施例１】
【００１８】
請求項１の発明の実施例を図２の印刷ジョブ解析展開部、図３の給排紙トレイ管理部のフローチャートにより説明する。本実施例では、前記印刷装置の従来例（図５）に対し、印刷ジョブ解析展開部３３に、給排紙トレイ管理部４０を追加している。
【００１９】
本実施例における印刷ジョブ解析展開部３３を説明する。本処理では、受信した印刷ジョブの解析時、描画コマンド列以外のページ制御コマンド列の場合には、給排紙トレイ管理部４０を実行するよう変更している。
【００２０】
給排紙トレイ管理部４０は、まず現在の印刷ジョブがジョブオフセット指定の場合、現在のページで指定されている給紙トレイおよび紙送り方向が自動選択（指定した記録紙に該当する給紙トレイまたは紙送り方向を印刷装置側で自動的に選択するモード）かどうかをチェックし、自動選択以外の場合はトレイ指定のため紙送り方向を切り替えず、取得したページ制御条件を設定して終了する。
【００２１】
また、自動選択の場合は、現在のページで指定されているサイズを取得し、直前のページサイズと比較する。一致しない場合は取得したページ制御条件を設定して終了する（最小限の処理にするため、異なるページサイズの場合は紙送り方向を切り替えない）。一方、一致する場合（１ページ目含む）は現在の印刷ジョブで指定されている排紙トレイと同じ排紙トレイに対する直前の紙送り方向を記憶装置３６から取得し、その逆値を現在値（＝紙送り方向Ａ）として設定変更する。
【００２２】
そして、エンジン制御部３４から給紙トレイ状態を取得し、使用する給紙トレイを紙送り方向Ａと同じ給紙トレイに設定変更し、かつ直前の印刷ジョブ情報として、現在の印刷ジョブの排紙トレイと紙送り方向を記憶装置３６へ格納する。最後に、上記の設定変更も含め、現在のページ制御条件を設定して終了する。
【００２３】
例えば、Ａ４サイズ用紙が紙送り方向として長辺、短辺ともに設定可能な給紙トレイ１／２／３で印刷する場合を考える。ただし、印刷装置の現在の状態は表１の通りである。直前の排紙トレイ２の印刷済みジョブ＃１は、用紙サイズ：Ａ４、給紙トレイ：自動選択、紙送り方向：自動選択、排紙トレイ：１、ジョブオフセット機能：無効で印刷されたものとする（用紙は、給紙トレイ１から給紙されたものとする）。
【００２４】
【表１】
2006051660.tif 000003
【００２５】
アプリケーションソフトウェアから次の指定で印刷した場合（＝ジョブ＃２）、
【００２６】
【表２】
2006051660.tif 000004
【００２７】
【表３】
2006051660.tif 000005
【００２８】
受信した印刷ジョブ＃２はジョブオフセット指定、給紙トレイおよび紙送り方向が「自動選択」（表２参照）指定であり、ジョブ＃２と一致する排紙トレイ１上のジョブ＃１の紙送り方向が「長辺」（表３−Ａ参照）であるため、紙送り方向を「短辺」（表３−Ｂ参照）、および使用する給紙トレイを該当する「短辺」設定の給紙トレイ２に設定変更し、その短辺モードで画像データ列に展開する。
【００２９】
そして、短辺送りで排出装置から排紙され、図４のように、ジョブ＃１と＃２を明確にジョブセパレートすることができる。ただし、もし印刷装置で該当する「短辺」設定の給紙トレイが存在しない場合は、ユーザーに警告メッセージを通知して、事前に印刷装置上の「短辺」設定を促すか、あるいは「長辺」のまま（ジョブオフセットを行わず）印刷を行うこともできる。なお、ネットワークインターフェイスで接続された、複数のクライアント装置、印刷装置の構成においても、同様な効果を得ることができる。
【実施例２】
【００３０】
請求項２の発明に関して実施例を説明する。本実施例では、印刷ジョブ解析展開部で、印刷ジョブにおけるジョブオフセット、複数部数および丁合指定時、実施例１の紙送り方向の切り替え方法を使用することにより、複数部数指定の印刷ジョブにおける部数間の分離を行うものである。
【００３１】
例えば、ユーザーインターフェイスでジョブオフセット機能を有効とし、３部および丁合指定して印刷した場合、部単位で紙送り方向を切り替えるので、分離された３部の印刷ジョブを得ることができる。これにより、異なる印刷ジョブ間だけでなく、複数部数指定の印刷ジョブ内でも部数間の分離を行うことができるようになる。
【産業上の利用可能性】
【００３２】
記録紙の紙送り方向として長辺および短辺が設定可能な給紙トレイを具備する印刷装置において、その該記録紙を使用する複数の印刷ジョブを印刷する場合に適用できる。
【図面の簡単な説明】
【００３３】
【図１】本発明の一実施例の説明のための、印刷装置のブロック図である。
【図２】本発明の一実施例の説明のための、印刷ジョブ解析展開部のフローチャートである。
【図３】本発明の一実施例の説明のための、給排紙トレイ管理部のフローチャートである。
【図４】本発明の一実施例の説明のための、排紙結果イメージである。
【図５】従来の印刷装置のブロック図である。
【図６】従来の印刷ジョブ解析展開部のフローチャートである。
【図７】従来のジョブオフセット機構による排紙イメージである。
【図８】従来の給紙トレイにおける記録紙セットイメージである。
【符号の説明】
【００３４】
１０はホストコンピュータ、１１はオペレーティングシステム、１２はアプリケーションソフトウェア、１３は印刷インターフェイス、１４は印刷ジョブ生成ソフトウェア、１５はユーザーインターフェイス、１６は印刷ジョブ生成処理部、１７は印刷ジョブスプーラ、２０は双方向インターフェイス、３０は印刷装置、３１は印刷制御装置、３２はデータ受信部、３３は印刷ジョブ解析展開部、３４はエンジン制御部、３５は操作パネル、３６は記憶装置、３７はフレームメモリ、３８はエンジン機構部、３９は排出装置、４０は給排紙トレイ管理部である。
【図１】
2006051660.tif 000006
【図２】
2006051660.tif 000007
【図３】
2006051660.tif 000008
【図４】
2006051660.tif 000009
【図５】
2006051660.tif 000010
【図６】
2006051660.tif 000011
【図７】
2006051660.tif 000012
【図８】
2006051660.tif 000013